(57)【要約】【課題】膝掛けとして使用可能で、不使用時にコンパクトに折り畳んで乱雑にならないように保管することができ、また、保管時の形態に使用者が親近感を持つことができるとともに、他の用途にも使用できて有用性に富むシート状部材を提供する。【解決手段】シート状部の一部に、当該シート状部を折り畳んで収納可能なポケット部が一体に形成されている。上記シート状部は上記ポケット部の背面側に重ね合わせるように折り畳まれ、上記ポケット部は内外反転させることにより上記折り畳み状態のシート状部を内部に収納しうるように形成されている。上記ポケット部には、キャラクターの人形がデザインされている。上記シート状部は、膝掛けとして使用可能なブランケットに形成されており、上記シート状部を折り畳んで上記ポケット部に収納した状態では、クッションとして使用可能である。【選択図】図１
0003108005.tif 000002
【実用新案登録請求の範囲】
【請求項１】
シート状部の一部に、当該シート状部を折り畳んで収納可能なポケット部が一体に形成されていることを特徴とするシート状部材。
【請求項２】
上記シート状部は上記ポケット部の背面側に重ね合わせるように折り畳まれ、上記ポケット部は内外反転させることにより上記折り畳み状態のシート状部を内部に収納しうるように形成されていることを特徴とする請求項１記載のシート状部材。
【請求項３】
上記ポケット部は、上記シート状部の一部を裏面部として利用するとともに、上記裏面部に表面部材と蓋部材が重ね合わされ、上記裏面部の周縁部に、上記表面部材の上辺部以外の周縁部と、上記蓋部材の下辺部以外の周縁部が接合されて形成されていることを特徴とする請求項１又は２記載のシート状部材。
【請求項４】
上記ポケット部には、上記蓋部材の頂端部に吊下げストラップが取り付けられていることを特徴とする請求項１、２又は３記載のシート状部材。
【請求項５】
上記ポケット部には、キャラクターの人形がデザインされていることを特徴とする請求項１、２、３又は４記載のシート状部材。
【請求項６】
上記シート状部は、膝掛けとして使用可能なブランケットに形成されていることを特徴とする請求項１、２、３、４又は５記載のシート状部材。
【請求項７】
上記ポケット部は、上記シート状部を折り畳んで収納した状態では、クッションとして使用可能に形成されていることを特徴とする請求項１、２、３、４、５又は６記載のシート状部材。
【考案の詳細な説明】
【技術分野】
【０００１】
本考案はシート状部材に係り、特に膝掛けとして使用可能なシート状部材に関する。
【背景技術】
【０００２】
従来の膝掛けは、保温性を有する生地で矩形のシート状に形成され、使用時は展開状態にされて膝の上に掛けられ、不使用時はコンパクトに折り畳まれて保管されていた。
【０００３】
上記従来の膝掛けは、不使用時に折り畳まれて保管されることが多いため、足腰が冷える場合に、迅速に取り出して使用できない、という不具合がある。
【０００４】
また、上記従来の膝掛けは、不使用時に折り畳まれて保管されるが、折り畳み状態を特に固定することもないので、折り畳み状態が崩れて乱雑になりやすい、という不具合もあった。
【０００５】
また、上記従来の膝掛けは、折り畳んでも膝掛けの意匠は変わらないため、使用者が親近感を持つことができず、傍らに置いて飾りたくなるようなことはなかった。
【０００６】
また、上記従来の膝掛けは、膝掛けの機能しか有しておらず、その他の用途はないため、有用性に欠けるという問題がある。
【０００７】
本出願人は上記不具合を解消できるシート状部材について調査したが、関連する先行技術文献は発見できなかった。
【考案の開示】
【考案が解決しようとする課題】
【０００８】
そこで本考案の課題は、膝掛けとして使用可能で、不使用時にコンパクトに折り畳んで乱雑にならないように保管することができ、また、保管時の形態に使用者が親近感を持つことができるとともに、他の用途にも使用できて有用性に富むシート状部材を提供することにある。
【課題を解決するための手段】
【０００９】
上記課題を解決するために、請求項１記載の本考案に係るシート状部材は、シート状部の一部に、当該シート状部を折り畳んで収納可能なポケット部が一体に形成されていることを特徴とする。
【００１０】
即ち、本考案に係るシート状部材にあっては、シート状部とポケット部を有しているが、そのポケット部は上記シート状部の一部に一体に形成されるものである。
【００１１】
また、請求項２記載の本考案に係るシート状部材は、上記シート状部は上記ポケット部の背面側に重ね合わせるように折り畳まれ、上記ポケット部は内外反転させることにより上記折り畳み状態のシート状部を内部に収納しうるように形成されていることを特徴とする。
【００１２】
即ち、本考案に係るシート状部材にあっては、上記ポケット部は内外反転可能に形成され、上記シート状部は上記ポケット部の背面側に重ね合わせるように折り畳み可能に形成されている。そして、上記シート状部が上記ポケット部の背面側に重ね合わせるように折り畳まれた状態で、上記ポケット部が内外反転されることにより、当該ポケット部の内部に折り畳み状態の上記シート状部が収納されるものである。
【００１３】
また、請求項３記載の本考案に係るシート状部材は、上記ポケット部は、上記シート状部の一部を裏面部として利用するとともに、上記裏面部に表面部材と蓋部材が重ね合わされ、上記裏面部の周縁部に、上記表面部材の上辺部以外の周縁部と、上記蓋部材の下辺部以外の周縁部が接合されて形成されていることを特徴とする。
【００１４】
即ち、本考案に係るシート状部材にあっては、上記ポケット部は表面部材と蓋部材と裏面部とにより構成されている。そして、上記裏面部には上記シート状部の一部が利用され、上記表面部材と蓋部材には上記シート状部とは異なる部材が使用され、当該表面部材と蓋部材は上記シート状部に接合されている。
【００１５】
また、請求項４記載の本考案に係るシート状部材は、上記ポケット部には、上記蓋部材の頂端部に吊下げストラップが取り付けられていることを特徴とする。
【００１６】
即ち、本考案に係るシート状部材にあっては、上記ポケット部は、上記蓋部材の頂端部に取り付けられた上記ストラップにより吊り下げ可能に形成されている。
【００１７】
また、請求項５記載の本考案に係るシート状部材は、上記ポケット部には、キャラクターの人形がデザインされていることを特徴とする。
【００１８】
即ち、本考案に係るシート状部材にあっては、上記ポケット部の装飾性を向上させるために、キャラクターの人形が上記ポケット部にデザインされている。
【００１９】
また、請求項６記載の本考案に係るシート状部材は、上記シート状部は、膝掛けとして使用可能なブランケットに形成されていることを特徴とする。
【００２０】
即ち、本考案に係るシート状部材にあっては、上記シート状部はブランケットとして形成され、膝掛けとして使用することができる。
【００２１】
また、請求項７記載の本考案に係るシート状部材は、上記ポケット部は、上記シート状部を折り畳んで収納した状態では、クッションとして使用可能に形成されていることを特徴とする。
【００２２】
即ち、本考案に係るシート状部材にあっては、上記シート状部を膝掛けとして使用しない場合は、上記シート状部を折り畳んで上記ポケット部に収納することにより、クッションとして使用することができる。
【考案の効果】
【００２３】
請求項１記載の本考案に係るシート状部材は、シート状部の一部に、当該シート状部を折り畳んで収納可能なポケット部が一体に形成されていることから、上記シート状部を使用しない場合にコンパクトに折り畳んで上記ポケット部に収納して保管することができる。従って、不使用時に収納するための保管容器が不要である。
また、上記シート状部を使用する場合は、上記ポケット部から取り出して展開すればよいので、迅速に使用を開始することができる。
【００２４】
また、請求項２記載の本考案に係るシート状部材にあっては、上記シート状部は上記ポケット部の背面側に重ね合わせるように折り畳まれ、上記ポケット部は内外反転させることにより上記折り畳み状態のシート状部を内部に収納しうるように形成されていることから、上記シート状部を折り畳んで上記ポケット部に収納する作業が容易である。
【００２５】
また、請求項３記載の本考案に係るシート状部材にあっては、上記ポケット部は、上記シート状部の一部を裏面部として利用するとともに、上記裏面部に表面部材と蓋部材が重ね合わされ、上記裏面部の周縁部に、上記表面部材の上辺部以外の周縁部と、上記蓋部材の下辺部以外の周縁部が接合されて形成されていることから、上記ポケット部を容易に形成することができ、製造コストを低減することができる。
【００２６】
また、請求項４記載の本考案に係るシート状部材にあっては、上記ポケット部には、上記蓋部材の頂端部に吊下げストラップが取り付けられていることから、不使用時に上記吊下げストラップをフック等に掛けることにより使用者の近辺に吊り下げ状態で保管することができるので、使用する場合に探す必要がなく、即座に手にすることができる。
【００２７】
また、請求項５記載の本考案に係るシート状部材にあっては、上記ポケット部には、キャラクターの人形がデザインされていることから、飾り物として使用することができ、また、使用者は親近感を持つようになって大切に扱うようになる。
【００２８】
また、請求項６記載の本考案に係るシート状部材にあっては、上記シート状部は、膝掛けとして使用可能なブランケットに形成されていることから、部屋の温度が低い場合に、膝の上に掛けて保温することにより体調を良好に保つことができる。
【００２９】
また、請求項７記載の本考案に係るシート状部材にあっては、上記ポケット部は、上記シート状部を折り畳んで収納した状態では、クッションとして使用可能に形成されていることから、膝掛けとして使用しない場合でも、クッションとして使用できるので有用性を高めることができる。
【考案を実施するための最良の形態】
【００３０】
以下、図面を用いて本考案の実施の形態について説明する。
本実施形態に係るシート状部材１１は、図１及び図２に示すように、シート状部１２の一部に、当該シート状部１２を折り畳んで収納可能なポケット部１３が一体に形成されている。
また、上記シート状部１２は、図３に示すように、上記ポケット部１３の背面側に重ね合わせるように折り畳まれ、上記ポケット部１３は、図３〜図５に示すように、内外反転させることにより上記折り畳み状態のシート状部１２を内部に収納しうるように形成されている。
また、上記ポケット部１３は、図１及び図２に示すように、上記シート状部１２の一部を裏面部１４として利用するとともに、上記裏面部１４に表面部材１５と蓋部材１６が重ね合わされ、上記裏面部１４の周縁部に、上記表面部材１５の上辺部以外の周縁部と、上記蓋部材１６の下辺部以外の周縁部が接合されて形成されている。
また、上記ポケット部１３には、図４及び図５に示すように、上記蓋部材１６の頂端部に吊下げストラップ１７が取り付けられている。
また、上記ポケット部１３には、図１及び図４に示すように、キャラクターの人形がデザインされている。
また、上記シート状部１２は、図１及び図２に示すように、膝掛け１８として使用可能なブランケット１９に形成されている。
また、上記ポケット部１３は、図４及び図５に示すように、上記シート状部１２を折り畳んで収納した状態では、クッション２０として使用可能に形成されている。
【実施例１】
【００３１】
本実施例に係るシート状部材１１は、図１及び図２に示すように、シート状部１２と、ポケット部１３とを備えて構成されている。
【００３２】
そして、上記ポケット部１３は、図１及び図２に示すように、シート状部１２の一部に一体に形成されている。
【００３３】
上記シート状部１２は、ポリエステル素材を用い、図１に示すように、縦方向の長さが約７０ｃｍで、横方向の幅が約９０ｃｍの矩形に形成されている。
【００３４】
上記シート状部１２は、保温性を有するブランケット１９として形成され、図１に示すように、展開した状態で膝掛け１８として使用可能に形成されている。
【００３５】
上記ポケット部１３は、図１に示すように、上記シート状部１２の正面側の中央上端部に配置されている。
【００３６】
上記ポケット部１３は、図２に示すように、裏面部１４と、表面部材１５と、蓋部材１６とにより構成されている。
【００３７】
上記ポケット部１３を構成する上記裏面部１４は、図２に示すように、上記シート状部１２をそのまま利用している。
【００３８】
これに対し、上記表面部材１５と上記蓋部材１６には、図２に示すように、上記シート状部１２とは異なる部材が使用されている。これらの素材にはナイロン８０％、ポリウレタン２０パーセントが使用されている。
【００３９】
上記表面部材１５と上記蓋部材１６は、図２に示すように、上記裏面部１４の正面側に重ね合わされ、上記裏面部１４の周縁部に、上記表面部材１５の上辺部以外の周縁部と、上記蓋部材１６の下辺部以外の周縁部が縫着により接合されている。
【００４０】
上記表面部材１５の上辺部と、上記蓋部材１６の下辺部は接合されておらず、図２に示すように、上記蓋部材１６の下辺部が上記表面部材１５の上辺部の内側に位置して若干重なり合うように配置され、その重なり合った上記表面部材１５の上辺部と、上記蓋部材１６の下辺部との間に上記ポケット部１３の開口部２１が形成されている。
【００４１】
上記ポケット部１３には、図１に示すように、使用者が親近感を持つことができるように、キャラクタの人形のデザインが施されている。即ち、上記ポケット部１２には、栗の実に少年の顔が表されたデザインが施されている。
【００４２】
なお、上記ポケット部１３は内外反転させるため、裏面部１４と、表面部材１５と、蓋部材１６の内外両面には同一のデザインが施されている。
【００４３】
上記ポケット部１３における上記蓋部材１６の頂端部には、図４及び図５に示すように、フック等に引っ掛けて吊り下げることができる環状のストラップ１７が取り付けられている。
【００４４】
本実施例に係るシート状部材１１は、上記シート状部１２が上記のようにブランケット１９として形成されていることから、寒い部屋などに居て足腰が冷える場合に、上記ブランケット１９を展開状態として、膝の上に掛けて保温するための膝掛け１８として使用することができる。
【００４５】
上記シート状部１２を上記のように膝掛け１８として使用しない場合は、図３に示すように、上記シート状部１２を折り畳み状態となし、図４及び図５に示すように、上記ポケット部１３を内外反転させることにより、そのポケット部１３に上記折り畳み状態のシート状部１２を収納して保管することができる。
このように上記シート状部１２は折り畳まれて上記ポケット部１３に収納されることにより、その折り畳み状態が固定されるため、上記シート状部１２は乱雑に崩れることがなく、きちんと折り畳まれた状態を維持することができる。
【００４６】
上記シート状部１２は、図３に示す手順により、折り畳んで上記ポケット部１３に収納することができる。
【００４７】
まず、上記ポケット部１３の背面側で、1〜2に示すように、上記シート状部１２を上下方向に２つ折りする。
【００４８】
次に、2〜3に示すように、２つ折りした上記シート状部１２の上辺中央部が山の頂上部となるように、左右両端部を斜めに折り畳む。
【００４９】
次に、3〜4に示すように、左右両側部が重なり合うように３つ折りする。
【００５０】
次に、4〜5に示すように、３つ折りした上記シート状部１２の下辺中央部に山を作成するように下辺両端部を斜めに折り畳む。
【００５１】
次に、5〜6に示すように、上記シート状部１２の上下の山を重ね合わせるように上下方向に２つ折りして、その折り畳み状態のシート状部１２を上記ポケット部１３の背面側に重ね合わせる。
【００５２】
次に、6〜7に示すように、上記ポケット部１３における上記開口部２１の縁を引っ張って当該ポケット部１３を内外反転させる。このとき、上記ポケット部１３により折り畳み状態の上記シート状部１２を包み込んで内部に収納する。
【００５３】
最後にポケット部１３の形を整えれば、8に示すように、上記シート状部１２を折り畳んでポケット部１３に収納する作業が終了する。
【００５４】
図４及び図５に示すように、上記シート状部１２を折り畳んでポケット部１３に収納した状態では、クッション２０として使用することができる。
即ち、折り畳み状態の上記シート状部１２はクッション２０の中綿の役割を果たし、上記ポケット部１３はクッション２０のカバーの役割を果たすことができる。
【００５５】
また、上記シート状部１２を折り畳んで上記ポケット部１３に収納した状態で、上記のようにクッション２０として使用しない場合は、上記ストラップ１７をフック等に引っ掛けることにより吊り下げて保管することができる。
【００５６】
上記のように、本実施例に係るシート状部材１１は、膝掛け１８としても、クッション２０としても使用可能で、２通りの用途を有し、極めて有用性が高い。
なお、上記実施例にあっては、本考案に係るシート状部材をひざ掛けに使用した場合を例に説明したが、上記実施例に限定されず、例えば、屋外で展開して着座する際に使用するシート等にも適用することができる。
【産業上の利用可能性】
【００５７】
本考案はシート状部材、特に膝掛けとして使用可能なシート状部材に適用可能である。
【図面の簡単な説明】
【００５８】
【図１】本考案のシート状部材に係る一実施例を示したもので、シート状部を展開した状態を示す斜視図である。
【図２】本考案のシート状部材に係る一実施例を示したもので、図１のＡ−Ａ線に沿う断面図である。
【図３】本考案のシート状部材に係る一実施例を示したもので、シート状部を折り畳んでポケット部に収納する手順を示す作業工程図である。
【図４】本考案のシート状部材に係る一実施例を示したもので、シート状部を折り畳んでポケット部に収納した状態を示す斜視図である。
【図５】本考案のシート状部材に係る一実施例を示したもので、図４のＢ−Ｂ線に沿う断面図である。
【符号の説明】
【００５９】
１１  シート状部材
１２  シート状部
１３  ポケット部
１４  裏面部
１５  表面部材
１６  蓋部材
１７  ストラップ
１８  膝掛け
１９  ブランケット
２０  クッション
２１  開口部
【図１】
0003108005.tif 000003
【図２】
0003108005.tif 000004
【図３】
0003108005.tif 000005
【図４】
0003108005.tif 000006
【図５】
0003108005.tif 000007